(57)【要約】      （修正有）【課題】消毒除菌に使用する溶液やその他の液体等を手袋に給液し、使用者の手肌に刺激を与えることなく広域或いはピンポイントに液体を塗布することができる液体タンク及び拭き取りシートを手袋内に備えた便利安全手袋を提供する。【解決手段】使用者の手に装着することができる手袋１００に液体タンクを設けて、送液できる一体構造或いは管構造を有し、手の平側に設けた突起形状の液体出口の集合体に送液し、拭き取りするシートに給液する。送液量の加減はプッシュ式空気加圧及び減圧装置により行い、概ねの液体に対応するジェットサイズに設定した液体出口から流液し、シートに浸透する。液体の給液又は補給は液体注入口から行う。【選択図】図１
0003227384.tif 000002
【実用新案登録請求の範囲】
【請求項１】
使用者の手又はロボットなどに装着することができる手袋（１００）に液体タンク（４）を設け、液体の給液又は補給は液体注入口（３）から行うことができ、送液量の加減はプッシュ式空気加圧及び減圧装置（２）により送液を調節し、送液ラインの一体構造（５）或いは管構造（７）により手の平側に設けた突起形状の各液体出口（１）の集合体に送液し、概ねの液体に対応するジェットサイズに設定した液体出口（６）から流液し、拭き取りするシート（１１０）に適量の液体を浸透させることで安全かつ便利に液体を塗布及び拭き取りできる構造を特徴とする給液と拭き取りができる便利安全手袋
【請求項２】
前記、プッシュ式空気加圧及び減圧装置（２）がプッシュ式空気加圧及び減圧装置による送液方法でない請求項１記載の給液と拭き取りができる便利安全手袋
【請求項３】
前記、専用の拭き取りするシート（１１０）でなくてもフレキシブルにシートが選択応用できるところを特徴とする請求項１ないし請求項２記載の給液と拭き取りができる便利安全手袋
【請求項４】
前記、送液できる一体構造（５）を特徴とする請求項１ないし請求項３記載の給液と拭き取りができる便利安全手袋
【請求項５】
前記、送液できる管構造（７）を特徴とする請求項１ないし請求項４記載の給液と拭き取りができる便利安全手袋
【請求項６】
前記、ジェットサイズに設定した液体出口（６）以外の方法で浸透できるところを特徴とする請求項１ないし請求項５記載の給液と拭き取りができる便利安全手袋
【請求項７】
前記、使用者の手に装着することができる手袋（１００）が耐薬性であるところを特徴とする請求項１ないし請求項６記載の給液と拭き取りができる便利安全手袋
【請求項８】
前記、使用者の手に装着することができる手袋（１００）が耐薬性でないところを特徴とする請求項１ないし請求項７記載の給液と拭き取りができる便利安全手袋
【請求項９】
前記、突起形状の液体出口（１）の集合体以外の液体出口を特徴とする請求項１ないし請求項８記載の給液と拭き取りができる便利安全手袋
【請求項１０】
前記、送液できる一体構造（５）及び送液できる管構造（７）以外の方法で送液するところを特徴とする請求項１ないし請求項９記載の給液と拭き取りができる便利安全手袋
【請求項１１】
前記、液体の給液又は補給を液体注入口（３）以外の方法で給液又は補給するところを特徴とする請求項１ないし請求項１０記載の給液と拭き取りができる便利安全手袋
【考案の詳細な説明】
【技術分野】
【０００１】
本考案は、消毒除菌に使用する溶液やその他の液体等を手袋に給液して便利かつ安全に拭き取りできるものであって、使用者の手肌に刺激を与えることなく広域或いはピンポイントに液体を塗布することができる、手袋内に液体タンク及び拭き取りシートを備えた給液と拭き取りができる便利安全手袋に関するものである。
【背景技術】
【０００２】
新型肺炎コロナウイルスの感染拡大に伴い普段から使い慣れない消毒効果のある薬品を一般消費者が反復して使用することが多くなった。消毒効果が期待できる溶液としてアルコール類、塩素系消毒薬などがある。いずれも対物消毒する際に消毒溶液の入ったスプレーなどで噴霧しながら手肌の荒れを懸念しつつペーパーや布巾等で拭き取るしかなかった。アルコール消毒液に関しては噴霧により有効成分が揮発しやすいことから大量噴霧する必要があり経済的にも乏しく、大量噴霧することで屋内使用においては爆発性のガスが充満する危険性があった。塩素系消毒液に関してはそもそも手肌や粘膜に触れることはできないからゴーグルなどを装着し噴霧以外の方法で送液し、市販手袋などを使用して消毒するしかなかった。
【考案の概要】
【考案が解決しようとする課題】
【０００３】
アルコール消毒液に関し揮発性が高く、消費量を軽減するために消毒しようとする人の動作が速くなる傾向があり、満たす消毒ができていないのに「消毒した動作行為」のみで消毒済みであるというヒューマンエラーが生じている。
【０００４】
アルコール消毒液に関し揮発性が高く、大量に噴霧使用することにより飛散する揮発成分を人が大量吸引することになり、特にメタンオール類の毒性が強いアルコール消毒液の取り扱いは引火の危険も懸念され失明しかねない。
【０００５】
アルコール消毒液に関し揮発性が高く、大量に噴霧使用することで爆発性のガスを屋内に気化させ、充満条件下においては引火のみならず静電気程度のエネルギーによりガス爆発しかねない。
【０００６】
アルコール消毒液に関し、高額なエタンオールの消費量が激しく、メタンオールや他方アルコール系消毒剤について消毒効果があっても手肌の荒れなどを懸念し、上述した理由から採用することができなかった。
【０００７】
塩素系消毒液に関し、消毒効果が優秀にもかかわらず手肌や粘膜に触れることができないから一般人においての取り扱いが困難であり、ゴーグルなどを装着し噴霧以外の方法で送液したり、バケツなどに溶液を準備し布巾と市販手袋を使用して塩素効果を失いながら消毒する非効率な方法でしかなかった。
【課題を解決するための手段】
【０００８】
本考案はこのような諸事情も含めて考慮してなされたもので、手袋そのものに液体タンク及び送液できる構造を設け、フレキシブルにシートを選択できる給液と拭き取りができる便利安全手袋であって、消毒するために動作する人の手肌に溶液が触れることなく安全かつ合理的な消毒を実現する。
【０００９】
本考案の手袋を使用することでアルコール消毒液に関し、消費量を軽減するため速かった人の消毒動作速度を適切に調整することが可能であり合理的な消毒ができる。噴霧使用を極力減らすことができるから人が揮発成分を大量吸引せず、メタンオール類の毒性が強いアルコール等も採用でき、消毒動作時は手袋甲側が被膜となるから爆発性のガスを発生させにくい。手袋甲側の被膜とシートにより消毒対象物とのクリアランスを最小限におさえることができるから揮発を減らし、揮発成分を逃がさない理想的な消毒を得る。同時に高額なエタンオールの消費量を下げメタンオールや他方アルコール消毒剤の採用を検討することができる。
【００１０】
本考案の手袋を使用することで塩素系消毒液に関し、手肌や粘膜に触れることなく消毒動作時は手袋甲側が被膜となるから塩素系のガスを発生させにくい。手袋甲側の被膜とシートにより消毒対象物とのクリアランスを最小限に抑えることができるから塩素効果を失いながら行う非効率な消毒方法は解消され、同時に手肌の荒れを回避する。
【００１１】
本考案の手袋は産業的に量産可能な素材、部品で構成できるため使用者に対して延滞なく安全かつ安価で提供しようとするものである。
【００１２】
そこで本考案においては、使用者の手に装着することができる手袋（１００）に液体タンク（４）を設けて、送液できる一体構造（５）或いは管構造（７）により手の平側に設けた突起形状の液体出口（１）の集合体に送液し、拭き取りするシート（１１０）に連絡する。送液量の加減はプッシュ式空気加圧及び減圧装置（２）により行い、概ねの液体に対応するジェットサイズに設定した液体出口（６）から流液し、シート（１１０）に浸透する。液体の給液又は補給は液体注入口（３）から行うことができる。以上の構造を備えた給液と拭き取りができる便利安全手袋により消毒に関する欠点及び弱点を強化しようとするものである。
【考案の効果】
【００１３】
本考案は上述のように構成したから、安全に的を射た消毒を行うことができ、動作する人の手肌に触れず安全かつ合理的な対物消毒を期待できる。
【図面の簡単な説明】
【００１４】
【図１】給液と拭き取りができる便利安全手袋手の平側（１００）の代表図
【図２】シート（１１０）の図
【図３】手袋本体（１００）とシート（１１０）のイメージ図
【図４】手袋本体（１００）一体構造の縦側面図
【図５】手袋本体（１００）管構造の縦側面図
【図６】突起形状の液体出口（１）の拡大図
【図７】手袋本体（１００）の横側面図
【図８】手袋本体（１００）指先部分の拡大図
【図９】手袋本体（１００）手の平部分の拡大図
【図１０】給液と拭き取りができる便利安全手袋手の甲側（１００）の拡大図
【図１１】給液と拭き取りができる便利安全手袋手の甲側（１００）の代表図
【考案を実施するための形態】
【００１５】
本考案は手袋そのものに液体タンクを備え、フレキシブルにシートを選択できる突起構造を設けた給液と拭き取りができる便利安全手袋であって、消毒するために動作する人の手肌に非接触で安全かつ合理的な消毒を実現する。例えば消毒液に関し、スポイト或いは蛇腹様の注ぎ口を備えた分母容器に消費するであろう消毒溶液量の母液を予め準備し、本考案の手袋に給液する。給液された手袋にはプッシュ式空気加圧及び減圧装置を設け送液の加減を調節できるから高温、圧迫など特段の条件下でない限り漏液することはない。実施するために手袋を作成する素材に関し消毒薬、他方液体の種類もあるから耐薬性を有するほうが望ましい。
【実施例】
【００１６】
本考案の給液と拭き取りができる便利安全手袋は、手袋そのものに液体タンクを備え、フレキシブルにシートを選択できる突起構造を設けた給液と拭き取りができる便利安全手袋であって、消毒するために動作する人の手肌に非接触で安全かつ合理的な消毒を期待できる手袋様の道具である。
【００１７】
アルコール消毒液に関し揮発を低くおさえることができるから、消毒しようとする人の動作速度を調節でき、適切な消毒が期待できる。
【００１８】
アルコール消毒液に関し、噴霧使用することにより飛散する揮発成分を人が大量吸引することはなくなり、例えばメタンオール類の毒性が強いアルコール類を対物消毒に検討することできる。
【００１９】
アルコール消毒液に関し、噴霧使用の頻度を極力下げることができるから換気と併用することで、ガスの充満を回避できる。
【００２０】
アルコール消毒液に関し、高額なエタンオールの消費を抑え、人と液体の接触を減らし手肌の荒れを回避できる。
【００２１】
塩素系消毒液に関し、塩素効果を失いながら行う非効率な消毒を改善できる。
【産業上の利用可能性】
【００２２】
新型肺炎コロナウイルスの感染拡大に伴い普段から使い慣れない消毒効果のある薬品を一般消費者が反復して使用することが多くなった。消毒効果が期待できるアルコール類、塩素系消毒薬などはいずれも対物消毒する際、消毒液の入ったスプレーなどで噴霧しながら手肌の荒れを懸念しつつ布巾やペーパー等で拭き取るしかなかった。アルコール消毒液に関しては噴霧により有効成分が揮発しやすいことから大量噴霧する必要があり経済的にも乏しく大量噴霧することで屋内使用においては爆発性のガスが充満する危険性があった。塩素系消毒液に関してはそもそも手肌や粘膜に接触できないからゴーグルなどを装着し噴霧以外の方法で送液し、布巾と市販手袋を使用して塩素を失いながら消毒するしかなかった。しかし本考案の給液と拭き取りができる便利安全手袋により今後も続くであろう感染拡大防止活動や生活の習慣に取り入れることが可能であり、量産可能な部品で構成できるため使用者に対して安全かつ安価で提供することができる。同時に消毒に限定しない液体にも対応する製品であるから実現すればその需要数は高いと思われる。
【符号の説明】
【００２３】
（１）突起形状の液体出口
（２）プッシュ式空気加圧及び減圧装置
（３）液体注入口
（４）液体タンク
（５）送液部分
（６）液体出口
（７）送液管
（１００）本体
（１１０）シート
【図１】
0003227384.tif 000003
【図２】
0003227384.tif 000004
【図３】
0003227384.tif 000005
【図４】
0003227384.tif 000006
【図５】
0003227384.tif 000007
【図６】
0003227384.tif 000008
【図７】
0003227384.tif 000009
【図８】
0003227384.tif 000010
【図９】
0003227384.tif 000011
【図１０】
0003227384.tif 000012
【図１１】
0003227384.tif 000013